(57)【要約】【課題】本発明は組み込み式ガスコンロの天板の固定方法に関するものであり、天板側に部品を追加せずに、確実に天板を固定する構成の提案。【解決手段】組み込み式ガスコンロにおいて、天板４上に設けられた各コンロの煮こぼれ受け皿装着用の絞り部５側面と、機器本体１に設けられた取っ手１１としての機能も備えた天板位置決め固定用金具６とを嵌合させることにより、天板を位置決め固定する構成とした。【選択図】  図１
2004347191.tif 000002
【特許請求の範囲】
【請求項１】
キッチンのカウンター内部に組み込まれる機器本体部と、前記機器本体を覆い、キッチンのカウンター上面に載置される天板を有し、前記天板上の各コンロ部に煮こぼれ受け皿装着用、もしくはバーナー突出用の開口を有する一段下がった絞り部を有し、さらに前記機器本体側には天板位置決め固定用金具を設け、各コンロに設けられた前記絞り部の側面と前記機器本体側の天板位置決め固定用金具を嵌合させ天板を位置決め固定する構成とした組み込み式ガスこんろ。
【請求項２】
天板上の３個のコンロ部に設けられた煮こぼれ受け皿装着用、もしくはバーナー突出用の開口を有する一段下がった絞り部の中央に、板金をコの字状に曲げて構成した１個の天板位置決め固定用金具を設け、前記３個の絞り部の側面と、１個の天板位置決め固定用金具を嵌合させ、天板を位置決め固定しかつ回転も防止する構成とした請求項１記載の組み込み式ガスこんろ。
【請求項３】
機器本体に設けた天板位置決め用金具の上面と天板裏面との間に隙間を設け、前記天板が天板上面の荷重等によりたわんだ場合、前記天板裏面を前記天板位置決め固定用金具の上面で受ける構成にした請求項１または２記載の組み込み式ガスコンロ。
【請求項４】
機器本体状に設けた天板位置決め用固定金具の上面に、ゴムまたは発砲体等の緩衝材を装着し、天板を支持し、かつ天板の衝撃も吸収する構成とした請求項１〜３のいずれか１項記載の組み込み式ガスコンロ。
【請求項５】
機器本体の天板位置決め用金具の上面をコの字型になるように切り欠きを設け、機器運搬設置時の取っ手となる構成にした請求項１〜４のいずれか１項記載の記載の組み込み式ガスコンロ。
【発明の詳細な説明】
【０００１】
【発明の属する技術分野】
本発明は、組込み式ガスこんろの天板の固定方法に関するものである。
【０００２】
【従来の技術】
従来の組込み式ガスコンロの天板の固定構造を図２に示し、その断面図を図３に示す。図３において、１４は天板、１２は支持レバー、１３は支持金具である。図２に示すように天板１４裏側に位置決め固定用の支持金具１３がスポットされており、機器本体側に設けられた支持レバー１２を回動することにより、支持金具と嵌合させ位置決め固定される構成となっている（例えば、特開文献１参照）。
【０００３】
【特許文献１】
特開平８−１２８６５５号公報
【０００４】
【発明が解決しようとする課題】
しかしながら、従来の固定方法では、天板の裏側に位置決め固定用の金具をスポットするため、固定専用の部品が必要であり、また天板に固定金具のスポット跡が残るという課題を有していた。また、天板を固定しようとした場合、毎回汁受皿を外しロックしなければならないという課題を有していた。
【０００５】
本発明は上記課題を解決するもので、天板に部品をスポットなどして部品を追加することなく、機器本体側に設けられた取っ手や天板を受ける金具を利用して確実に天板を固定できる組み込み式ガスこんろを提案することを目的とする。
【０００６】
【課題を解決するための手段】
本発明は上記目的を達成するために、組み込み式ガスコンロの天板上に設けられた各コンロ部の煮こぼれ受け装着用、あるいはバーナー突出用の開口を有する一段下がった絞り部と、機器本体に設けた天板位置決め用金具あるいは機器本体運搬用の取っ手あるいは天板を支持する金具とを嵌合させ、天板を位置決め固定する構成にしたもので、天板に部品をスポットなどして部品を追加することなく、機器本体側に設けられた取っ手や天板を受ける金具を利用して確実に天板を固定できる。
【０００７】
【発明の実施の形態】
請求項１記載の発明は、キッチンのカウンター内部に組み込まれる機器本体部と、前記機器本体を覆い、キッチンのカウンター上面に載置される天板を有し、前記天板上の各コンロ部に煮こぼれ受け皿装着用、もしくはバーナー突出用の開口部を有する一段下がった絞り部を有し、さらに前記機器本体側には天板位置決め固定用金具を設け、各コンロに設けられた前記絞り部の側面と  前記機器本体側の天板位置決め固定用金具を嵌合させ天板を位置決め固定する構成とした組み込み式ガスこんろであり、複数個のコンロの絞り部を利用して固定するので、天板に部品をスポットなどして部品を追加することなく、機器本体側に設けられた位置決め金具を利用して確実に天板を固定できる。
【０００８】
請求項２記載の発明は、天板上の３個のコンロ部に設けられた煮こぼれ受け皿装着用、もしくはバーナー突出用の開口を有する一段下がった絞り部の中央に、板金をコの字状に曲げて構成した１個の天板位置決め固定用金具を設け、前記３個の絞り部の側面と、１個の天板位置決め固定用金具を嵌合させ、天板を位置決め固定しかつ回転も防止する構成とした請求項１記載の組み込み式ガスこんろであり、１個の位置決め用固定金具で、天板上の３個の絞り部を三角形状に位置決め固定するので、少ない部品で天板の回転方向のガタツキを防止し確実に位置決め固定できる。
【０００９】
請求項３記載の発明は、機器本体に設けた天板位置決め用金具の上面と天板裏面との間に隙間を設け、前記天板が天板上面に荷重等によりたわんだ場合、前記天板裏面を前記天板位置決め用金具の上面で受ける構成にした請求項１および２記載の組み込み式ガスコンロであり、天板の位置決め固定だけでなく、同じ部品で天板の支持補強という機能も兼ねることができる。
【００１０】
請求項４記載の発明は、機器本体状に設けた天板位置決め用固定金具の上面に、ゴムまたは発砲体等の緩衝材を装着し、天板を支持し、かつ天板の衝撃も吸収する構成とした請求項１，２および３の組み込み式ガスコンロであり、天板の支持補強だけでなく、天板に加わった衝撃も吸収することができる。
【００１１】
請求項５記載の発明は、機器本体の天板位置決め用金具の上面をコの字型になるように切り欠きを設け、機器運搬設置時の取っ手となる構成にした請求項１、２、３および４記載の組み込み式ガスコンロであり、天板の位置決め固定だけでなく、同じ部品で機器本体の運搬用取っ手という機能を兼ねることができ、さらにコの字型に切り欠くことにより手で取っ手を握った時、取っ手の左右の部分がガイドになり機器本体を傾けずに安定して保持することができる。
【００１２】
【実施例】
次に、本発明のガスコンロ天板の実施例を図面にもとづいて説明する。
【００１３】
（実施例１）
図１は、本発明の実施例１の上面図である。図１において、機器本体１は３個のバーナー部２を有し、システムキッチンのカウンター３の切り込み枠内にはめ込まれ固定され、機器本体１上部に天板４が設置される。天板４上には、３個あるバーナー部に設置する煮こぼれ受け装着するための開口を有する一段下がった絞り部５を有している。一方、天板位置決め固定用金具６は、板金により形成され、上面がコの字型になるよう切り欠き部７を有し、また側面は曲げ加工により２本の支持部８が形成され、機器本体１上部に設けられたバーナー取り付け板９にビスにより締め付け固定されている。天板４装着時は、天板位置決め固定用金具６上面のコの字部分が天板４上の３個の絞り部５の側面と嵌合され、天板４が位置決め固定され、また天板位置決め固定用金具６の上面と天板４の裏面はわずかな隙間を有する。
【００１４】
次に作用、効果について説明すると、天板４は、機器本体１に設けられた天板位置決め固定用金具６の上面のコの字部分と天板４上に設けられた３個の絞り部分５との側面により嵌合固定されるので、天板４に部品をスポットしたりすることなく確実に位置決め固定される。また、天板位置決め固定用金具６の上面と天板４の裏面はわずかな隙間を有し、天板４が天板４上面の荷重等によりたわんだ場合、天板位置決め固定用金具６の上面で天板４を支持する役割も有する。さらに、設置工事などの機器運搬時、天板位置決め固定用金具６のコの字型に切り欠き部７を手で持つことより、天板位置決め固定用金具６の左右の部分がガイドになり機器本体１を傾けずに安定して保持することができるという取っ手１１としての機能も有する。
【００１５】
【発明の効果】
請求項１に係るに発明によれば、複数個のコンロの絞り部を利用して天板を固定するので、天板に部品をスポットなどして部品を追加することなく、機器本体側に設けられた位置決め金具を利用して確実に天板を固定できるという有利な効果を有する。
【００１６】
請求項２に係る発明によれば、１個の位置決め用固定金具で、天板上の３個の絞り部を三角形状に位置決め固定するので、少ない部品で天板の回転方向のガタツキを防止し確実に位置決め固定できるという有利な効果を有する。
【００１７】
請求項３に係る発明によれば、部品を増やすことなく同じ部品で、天板の位置決め固定だけでなく、天板の支持補強という機能も兼ねることができるという有利な効果を有する。
【００１８】
請求項４よれば、天板の支持補強だけでなく、天板に加わった衝撃も吸収することができるという有利な効果を有する。
【００１９】
請求項５よれば、天板の位置決め固定だけでなく、同じ部品で機器本体の運搬用取っ手という機能を兼ねることができ、さらにコの字型に切り欠くことにより手で取っ手を握った時、取っ手の左右の部分がガイドになり機器本体を傾けずに安定して保持することができるという有利な効果を有する。
【図面の簡単な説明】
【図１】本発明の一実施例によるガスコンロ天板の上面図
【図２】従来のガスコンロ天板の上面図
【図３】従来のガスコンロ天板の断面図
【符号の説明】
１  機器本体
３  カウンター
４  天板
５  絞り部
６  天板位置決め固定用金具
７  切り欠き部
１１  取っ手
【図１】
2004347191.tif 000003
【図２】
2004347191.tif 000004
【図３】
2004347191.tif 000005